(57)【要約】【課題】中間圧冷媒ガスのインジェクション量を十分に確保できる高能力および高ＣＯＰ（成績係数）の冷凍システムおよびスクロール圧縮機を提供することを目的とする。【解決手段】段付きスクロール圧縮機２を備え、該スクロール圧縮機２の圧縮室に冷媒回路側から抽出された中間圧の冷媒ガスをインジェクションするガスインジェクション回路１０が設けられている冷凍システムにおいて、圧縮室に冷媒ガスをインジェクションするインジェクションポート３５が、固定スクロール２６の段部よりも渦巻き方向外周端側において圧縮室３０内と連通する位置に設けられているとともに、ガスインジェクション回路１０に、圧縮室３０にインジェクションされる冷媒ガスを加熱する加熱手段が設けられている。【選択図】図２
2010185350.tif 000002
【特許請求の範囲】
【請求項１】
端板上に渦巻き状ラップが立設され、互いに噛合されることにより圧縮室を形成する一対の固定スクロールおよび旋回スクロールの渦巻き方向の途中に段部が設けられ、冷媒ガスを渦巻き状ラップの周方向および軸方向の双方に圧縮可能とされているスクロール圧縮機を備え、該スクロール圧縮機の前記圧縮室に冷媒回路側から抽出された中間圧の冷媒ガスをインジェクションするガスインジェクション回路が設けられている冷凍システムにおいて、
前記圧縮室に前記冷媒ガスをインジェクションするインジェクションポートが、前記固定スクロールの前記段部よりも渦巻き方向外周端側において前記圧縮室内と連通する位置に設けられているとともに、前記ガスインジェクション回路に、前記圧縮室にインジェクションされる前記冷媒ガスを加熱する加熱手段が設けられていることを特徴とする冷凍システム。
【請求項２】
前記加熱手段は、電気ヒータにより構成されていることを特徴とする請求項１に記載の冷凍システム。
【請求項３】
前記加熱手段は、エンジンの排熱を利用した熱交換器により構成されていることを特徴とする請求項１に記載の冷凍システム。
【請求項４】
前記スクロール圧縮機は、前記インジェクションポートが設けられている前記段部よりも渦巻き方向外周端側において前記渦巻き状ラップ同士が互いに非接触とされていることを特徴とする請求項１ないし３のいずれかに記載の冷凍システム。
【請求項５】
前記渦巻き状ラップ同士は、前記段部よりも渦巻き方向外周端側の少なくとも前記インジェクションポートが設けられている周辺部において互いに非接触とされていることを特徴とする請求項４に記載の冷凍システム。
【請求項６】
端板上に渦巻き状ラップが立設され、互いに噛合されることにより圧縮室を形成する一対の固定スクロールおよび旋回スクロールの渦巻き方向の途中に段部が設けられ、冷媒ガスを渦巻き状ラップの周方向および軸方向の双方に圧縮可能とされているスクロール圧縮機において、
前記圧縮室に冷媒回路から抽出された中間圧の冷媒ガスをインジェクションするインジェクションポートが、前記固定スクロールの前記段部よりも渦巻き方向外周端側において前記圧縮室内と連通する位置に設けられているとともに、前記インジェクションポートが設けられている前記段部よりも渦巻き方向外周端側において前記渦巻き状ラップ同士が互いに非接触とされていることを特徴とするスクロール圧縮機。
【請求項７】
前記渦巻き状ラップ同士は、前記段部よりも渦巻き方向外周端側の少なくとも前記インジェクションポートが設けられている周辺部において互いに非接触とされていることを特徴とする請求項６に記載のスクロール圧縮機。
【発明の詳細な説明】
【技術分野】
【０００１】
本発明は、渦巻き方向に段部が設けられているスクロール圧縮機を備えているガスインジェクション回路付きの冷凍システムおよび当該冷凍システムに適用して好適な段付きのスクロール圧縮機に関するものである。
【背景技術】
【０００２】
スクロール圧縮機において、固定スクロールおよび旋回スクロールの渦巻き状ラップの先端面とボトム面の渦巻き方向に沿う所定位置にそれぞれ段部が設けられ、該段部を境にラップ先端面において、外周側先端面が高く、内周側先端面が低くされ、また、ボトム面において、外周側ボトム面が低く、内周側ボトム面が高くされることにより、渦巻き状ラップの外周側におけるラップ高さが内周側のラップ高さよりも高くされるとともに、両スクロール間に形成される圧縮室の軸線方向高さが渦巻き状ラップの外周側において内周側の高さよりも高くされ、これによって渦巻き状ラップの周方向およびラップ高さ方向の双方にガスを圧縮することができる三次元圧縮可能な所謂段付きスクロール圧縮機が知られている。
【０００３】
このような所謂段付きスクロール圧縮機が用いられている各種空調機および冷凍機等の冷凍システムにおいて、段付きスクロール圧縮機の圧縮室に冷媒回路から抽出された中間圧の冷媒ガスをインジェクションするガスインジェクション回路付きの冷凍システムが特許文献１によって提示されている。
【先行技術文献】
【特許文献】
【０００４】
【特許文献１】特開２００７−６４００５号公報
【発明の概要】
【発明が解決しようとする課題】
【０００５】
しかして、上記段付きスクロール圧縮機は、通常のスクロール圧縮機に比べると、一般に設計圧縮比が高く圧縮時の圧力の立ち上がりが急激である。このため、ガスインジェクション回路付きの冷凍システムに適用した場合に、インジェクションする圧縮室側の圧力が高く、中間圧冷媒ガスの圧力との関係からインジェクション量を十分に確保しにくいという面があった。
【０００６】
特に、ガスインジェクション回路側では、気液分離器を設けた気液分離方式または中間熱交換器を設けた中間熱交方式のいずれの場合においても、インジェクション側冷媒ガスの加熱熱源が主冷媒回路側の冷媒とされており、インジェクション側冷媒ガスの過熱度が確保しにくく、低い圧力でのガスインジェクションになることが多かった。このため、圧縮室内の圧力との関係からインジェクション量が少なくなる傾向にあり、十分なインジェクション効果が得られていなかった。
【０００７】
また、インジェクション側冷媒ガスの過熱度が十分に確保できないことから、液冷媒を含んだ冷媒ガスがインジェクションされることがあり、吐出側でのエンタルピー差が理論値よりも低くなってしまうことがあった。更には、液冷媒を含んだ冷媒ガスのインジェクションによって、スラッギング音の発生や液圧縮の発生要因となることがあった。
【０００８】
本発明は、このような事情に鑑みてなされたものであって、段付きスクロール圧縮機を用いたガスインジェクション回路付き冷凍システムにおいて、中間圧冷媒ガスのインジェクション量を十分に確保できる高能力および高ＣＯＰ（成績係数）の冷凍システムおよびスクロール圧縮機を提供することを目的とする。
【課題を解決するための手段】
【０００９】
上記課題を解決するために、本発明の冷凍システムおよびスクロール圧縮機は、以下の手段を採用する。
すなわち、本発明にかかる冷凍システムは、端板上に渦巻き状ラップが立設され、互いに噛合されることにより圧縮室を形成する一対の固定スクロールおよび旋回スクロールの渦巻き方向の途中に段部が設けられ、冷媒ガスを渦巻き状ラップの周方向および軸方向の双方に圧縮可能とされているスクロール圧縮機を備え、該スクロール圧縮機の前記圧縮室に冷媒回路側から抽出された中間圧の冷媒ガスをインジェクションするガスインジェクション回路が設けられている冷凍システムにおいて、前記圧縮室に前記冷媒ガスをインジェクションするインジェクションポートが、前記固定スクロールの前記段部よりも渦巻き方向外周端側において前記圧縮室内と連通する位置に設けられているとともに、前記ガスインジェクション回路に、前記圧縮室にインジェクションされる前記冷媒ガスを加熱する加熱手段が設けられていることを特徴とする。
【００１０】
本発明によれば、渦巻き方向の途中に段部が設けられ、圧縮比が高く圧縮時の圧力の立ち上がりが急な所謂段付きスクロール圧縮機を備えているガスインジェクション回路付き冷凍システムにおいて、スクロール圧縮機の圧縮室内に中間圧冷媒ガスをインジェクションするインジェクションポートが、固定スクロールの段部よりも渦巻き方向外周端側において圧縮室内と連通する位置に設けられているとともに、かつガスインジェクション回路に圧縮室にインジェクションされる中間圧冷媒ガスを加熱する加熱手段が設けられているため、圧力が相対的に低い段部よりも渦巻き方向外周端側に形成される圧縮室内に、インジェクション回路において加熱手段により加熱され、過熱度が大きく圧力が高くされた中間圧冷媒ガスをインジェクションすることができる。従って、圧縮比が高く圧縮時の圧力の立ち上がりが急な段付きスクロール圧縮機に対しても、ガスインジェクション時に十分な量の中間圧冷媒ガスをインジェクションすることが可能となり、冷却および加熱能力の向上ならびにＣＯＰ（成績係数）の向上を図ることができる。特に、極低温時等の高圧縮比条件時での暖房能力およびＣＯＰ（成績係数）の向上を図ることができる。また、インジェクションされる中間圧冷媒ガスを加熱手段により加熱して確実に過熱ガスとすることができるため、液冷媒がインジェクションされることがなく、スラッギング音の発生や液圧縮を防止することができる。
【００１１】
さらに、本発明の冷凍システムは、上記の冷凍システムにおいて、前記加熱手段は、電気ヒータにより構成されていることを特徴とする。
【００１２】
本発明によれば、加熱手段が、電気ヒータにより構成されているため、インジェクションされる中間圧冷媒ガスを加熱する加熱手段として最も汎用的でかつ適用が簡易な電気ヒータを用いることができる。従って、用途、形式を問わず、あらゆる冷凍システムに対して広範に適用することができる。
【００１３】
さらに、本発明の冷凍システムは、上記の冷凍システムにおいて、前記加熱手段は、エンジンの排熱を利用した熱交換器により構成されていることを特徴とする。
【００１４】
本発明によれば、加熱手段が、エンジンの排熱を利用した熱交換器により構成されているため、エンジンが搭載されているガスヒートポンプ装置、輸送用冷凍装置、車両用空調装置等の冷凍システムにおいて、エンジンの排気ガスや冷却水等の排熱を熱交換器に導入することにより、その熱でインジェクションガスを加熱することができる。従って、加熱手段の熱源として排熱を有効利用することができ、更に性能向上を図ることができる。
【００１５】
さらに、本発明の冷凍システムは、上述のいずれかの冷凍システムにおいて、前記スクロール圧縮機は、前記インジェクションポートが設けられている前記段部よりも渦巻き方向外周端側において前記渦巻き状ラップ同士が互いに非接触とされていることを特徴とする。
【００１６】
本発明によれば、スクロール圧縮機において、インジェクションポートが設けられている段部よりも渦巻き方向外周端側において渦巻き状ラップ同士が互いに非接触とされているため、渦巻き状ラップにかかる渦巻き状ラップ同士の接触荷重を、ラップ高さが低く端板厚さが厚くなっている段部よりも内周端側のみに負荷することができる。従って、インジェクションポートが設けられることに起因する固定スクロールの端板または渦巻き状ラップの切欠きによる強度低下を防止することができる。
【００１７】
さらに、本発明の冷凍システムは、上記の冷凍システムにおいて、前記渦巻き状ラップ同士は、前記段部よりも渦巻き方向外周端側の少なくとも前記インジェクションポートが設けられている周辺部において互いに非接触とされていることを特徴とする。
【００１８】
本発明によれば、渦巻き状ラップ同士が段部よりも渦巻き方向外周端側の少なくともインジェクションポートが設けられている周辺部において互いに非接触とされているため、渦巻き状ラップにかかる渦巻き状ラップ同士の接触荷重を、インジェクションポートが設けられている周辺部において低くすることができる。従って、インジェクションポートが設けられることに起因する固定スクロールの端板または渦巻き状ラップの切欠きによる強度低下を抑制することができる。
【００１９】
さらに、本発明にかかるスクロール圧縮機は、端板上に渦巻き状ラップが立設され、互いに噛合されることにより圧縮室を形成する一対の固定スクロールおよび旋回スクロールの渦巻き方向の途中に段部が設けられ、冷媒ガスを渦巻き状ラップの周方向および軸方向の双方に圧縮可能とされているスクロール圧縮機において、前記圧縮室に冷媒回路から抽出された中間圧の冷媒ガスをインジェクションするインジェクションポートが、前記固定スクロールの前記段部よりも渦巻き方向外周端側において前記圧縮室内と連通する位置に設けられているとともに、前記インジェクションポートが設けられている前記段部よりも渦巻き方向外周端側において前記渦巻き状ラップ同士が互いに非接触とされていることを特徴とする。
【００２０】
本発明によれば、渦巻き方向の途中に段部が設けられ、圧縮比が高く圧縮時の圧力の立ち上がりが急激な所謂段付きスクロール圧縮機において、圧縮室に冷媒回路から抽出された中間圧の冷媒ガスをインジェクションするインジェクションポートが、固定スクロールの段部よりも渦巻き方向外周端側において圧縮室内と連通する位置に設けられ、このインジェクションポートが設けられている段部よりも渦巻き方向外周端側において渦巻き状ラップ同士が互いに非接触とされているため、圧力が相対的に低い段部よりも渦巻き方向外周端側に形成される圧縮室内に、中間圧冷媒ガスをインジェクションすることができる。従って、圧縮比が高く圧縮時の圧力の立ち上がりが急な段付きスクロール圧縮機においても、ガスインジェクション時に十分な量の中間圧冷媒ガスをインジェクションすることが可能となり、冷却および加熱能力の向上ならびにＣＯＰ（成績係数）の向上を図ることができる。また、渦巻き状ラップにかかる渦巻き状ラップ同士の接触荷重を、ラップ高さが低く端板厚さが厚くなっている段部よりも内周端側のみに負荷することができるため、インジェクションポートが設けられることに起因する固定スクロールの端板または渦巻き状ラップの切欠きによる強度低下を防止することができる。
【００２１】
さらに、本発明のスクロール圧縮機は、上記のスクロール圧縮機において、前記渦巻き状ラップ同士は、前記段部よりも渦巻き方向外周端側の少なくとも前記インジェクションポートが設けられている周辺部において互いに非接触とされていることを特徴とする。
【００２２】
本発明によれば、渦巻き状ラップ同士が段部よりも渦巻き方向外周端側の少なくともインジェクションポートが設けられている周辺部において互いに非接触とされているため、渦巻き状ラップにかかる渦巻き状ラップ同士の接触荷重をインジェクションポートが設けられている周辺部において小さくすることができる。従って、インジェクションポートが設けられることに起因する固定スクロールの端板または渦巻き状ラップの切欠きによる強度低下を抑制することができる。
【発明の効果】
【００２３】
本発明の冷凍システムによると、圧力が相対的に低い段部よりも渦巻き方向外周端側に形成される圧縮室内に、インジェクション回路において加熱手段により加熱され、過熱度が大きく圧力が高くされた中間圧冷媒ガスをインジェクションすることができるため、圧縮比が高く圧縮時の圧力の立ち上がりが急激な段付きスクロール圧縮機に対しても、ガスインジェクション時に十分な量の中間圧冷媒ガスをインジェクションすることが可能となり、冷却および加熱能力の向上ならびにＣＯＰ（成績係数）の向上を図ることができる。特に、極低温時等の高圧縮比条件時での暖房能力およびＣＯＰ（成績係数の向上を図ることができる。また、インジェクションされる中間圧冷媒ガスを加熱手段により加熱して確実に過熱ガスとすることができるため、液冷媒がインジェクションされることがなく、スラッギング音の発生や液圧縮を防止することができる。
【００２４】
本発明のスクロール圧縮機によると、圧力が相対的に低い段部よりも渦巻き方向外周端側に形成される圧縮室内に、中間圧冷媒ガスをインジェクションすることができるため、圧縮比が高く圧縮時の圧力の立ち上がりが急な段付きスクロール圧縮機においても、ガスインジェクション時に十分な量の中間圧冷媒ガスをインジェクションすることが可能となり、冷却および加熱能力の向上ならびにＣＯＰ（成績係数）の向上を図ることができる。また、渦巻き状ラップにかかる渦巻き状ラップ同士の接触荷重を、ラップ高さが低く端板厚さが厚くなっている段部よりも内周端側のみに負荷することができるため、インジェクションポートが設けられることに起因する固定スクロールの端板または渦巻き状ラップの切欠きによる強度低下を防止することができる。
【図面の簡単な説明】
【００２５】
【図１】本発明の第１実施形態に係る冷凍システムの冷媒回路図である。
【図２】図１に示す冷凍システムに適用するスクロール圧縮機の断面図である。
【図３】図２に示すスクロール圧縮機の固定スクロールと旋回スクロールとの噛合い状態を示す平面視図である。
【図４】図３に示す固定スクロールにおける段部付近における部分拡大図である。
【発明を実施するための形態】
【００２６】
以下に、本発明にかかる実施形態について、図面を参照して説明する。
［第１実施形態］
以下、本発明の第１実施形態について、図１ないし図４を用いて説明する。
冷凍システム１は、図１に示されるように、冷媒を圧縮するスクロール圧縮機２と、圧縮された冷媒を冷却して凝縮液化させるコンデンサ（凝縮器）３と、凝縮された液冷媒の圧力を中間圧まで減圧させる第１膨張弁４と、減圧された冷媒を気液分離する気液分離器５と、液冷媒をさらに減圧する第２膨張弁６と、第２膨張弁６を経て減圧された冷媒を蒸発させるエバポレータ（蒸発器）７とを冷媒配管８により接続して構成される閉サイクルの冷媒回路９を備えている。
【００２７】
また、冷凍システム１は、気液分離器５で分離された中間圧の冷媒ガスをスクロール圧縮機１の後述する圧縮室３０内にインジェクションするガスインジェクション回路１０を備えている。ガスインジェクション回路１０には、電磁弁１１が設けられ、その開閉によってガスインジェクション回路１０の作動、非作動が切替え可能とされている。
【００２８】
さらに、ガスインジェクション回路１０には、気液分離器５から抽出され、スクロール圧縮機１の圧縮室３０内にインジェクションされる中間圧の冷媒ガスを加熱し、その過熱度を大きくし圧力を高くするための加熱手段１２が設けられている。この加熱手段１２としては、例えばＰＴＣヒータ等の電気ヒータを用いることができる。
【００２９】
スクロール圧縮機２は、図２に示されるように、密封容器であるハウジング２１と、ハウジング２１内の下方部に固定設置されている電動モータ２２と、該電動モータ２２の上方部に配置され、クランク軸２３を介して電動モータ２２により駆動されるスクロール圧縮機構２４とから構成されている。スクロール圧縮機構２４は、ハウジング２１内に固定設置されている主軸受２５と、該主軸受２５上に固定設置されている固定スクロール２６と、主軸受２５のスラスト面上に支持されるとともに、クランク軸２３の端部に設けられているクランクピン２３Ａにドライブブッシュ２８を介して連結され、クランク軸２３の回転により旋回駆動される旋回スクロール２７と、旋回スクロール２７の自転を阻止するオルダムリング等の自転阻止機構２９とを備えている。
【００３０】
固定スクロール２６は、端板２６Ａと該端板２６Ａから立設された渦巻き状ラップ２６Ｂとから構成され、旋回スクロール２７は、端板２７Ａと該端板２７Ａから立設された渦巻き状ラップ２７Ｂとから構成されている。この固定スクロール２６および旋回スクロール２７は、それぞれ渦巻き状ラップ２６Ｂ，２７Ｂの先端面とボトム面の渦巻き方向に沿う位置にそれぞれ段部２６Ｃ，２６Ｄおよび２７Ｃ，２７Ｄを備えている。段部２６Ｃおよび２７Ｃは、渦巻き状ラップ２６Ｂ，２７Ｂの外周端から進行角がπラジアンから２πラジアンの間に設けるのが好ましい。
【００３１】
この段部２６Ｃ，２６Ｄおよび２７Ｃ，２７Ｄを境に、ラップ先端面においては、クランク軸２３の軸線方向に外周側の先端面が高く、内周側の先端面が低くされ、また、ボトム面においては、軸線方向に外周側のボトム面が低く、内周側のボトム面が高くされている。これによって、渦巻き状ラップ２６Ｂ，２７Ｂは、その外周側におけるラップ高さが内周側のラップ高さよりも高くされている。
【００３２】
固定スクロール２６および旋回スクロール２７は、その中心を旋回半径分だけ離すとともに、渦巻き状ラップ２６Ｂ，２７Ｂの位相を１８０度ずらして噛合され、該渦巻き状ラップ２６Ｂ，２７Ｂの先端面とボトム面との間に常温で僅かなラップ高さ方向の隙間を有するように組み付けられている。これによって、両スクロール２６，２７間には、端板２６Ａ，２７Ａと渦巻き状ラップ２６Ｂ，２７Ｂとによって限界される一対の圧縮室３０がスクロール中心に対して対称に形成されるとともに、旋回スクロール２７が固定スクロール２６の周りをスムーズに公転旋回駆動されるように構成されている。
【００３３】
圧縮室３０は、軸線方向高さが渦巻き状ラップ２６Ｂ，２７Ｂの外周側において内周側の高さよりも高くされることによって、渦巻き状ラップ２６Ｂ，２７Ｂの周方向およびラップ高さ方向にガスを圧縮することができる三次元圧縮可能なスクロール圧縮機構２４を構成している。なお、固定スクロール２６および旋回スクロール２７の渦巻き状ラップ２５Ｂ，２７Ｂの先端面には、相手方スクロールのボトム面との間に形成されるチップシール面をシールするためのチップシール（図示省略）を設けることができる。
【００３４】
固定スクロール２６の端板２６Ａの中央部位置には、圧縮された冷媒ガスを吐出する吐出ポート３１が開口されている。この吐出ポート３１には、図示省略の吐出弁が設けられており、該吐出弁を介して吐出ポート３１は、ハウジング２１内にディスチャージカバー３２を介して区画されている吐出チャンバー３３と連通されている。吐出チャンバー３３に吐き出された高温高圧の冷媒ガスは、吐出管３４を介してスクロール圧縮機２から外部へと送出されるようになっている。
【００３５】
また、固定スクロール２６には、ガスインジェクション回路１０により導入される中間圧冷媒ガスを圧縮室３０内にインジェクションするインジェクションポート３５が、圧縮室３０と連通する位置に開口されている。このインジェクションポート３５は、図４に示されるように、固定スクロール２６の渦巻き状ラップ２６Ｂの段部２６Ｃよりも渦巻き方向外周端側において圧縮室３０と連通するように設けられている。
【００３６】
更に、少なくとも固定スクロール２６の渦巻き状ラップ２６Ｂは、インジェクションポート３５が設けられている段部２６Ｃよりも渦巻き方向外周端側において、図４に示されるように、渦巻き状ラップ２６Ｂを形成している外側曲線２６Ｅおよび腹側曲線２６Ｆが相手方の旋回スクロール２７の渦巻き状ラップ２７Ｂに対して非接触となるように、数十ミクロンの単位で２点鎖線から実線で示すように削られ、渦巻き状ラップ２６Ｂの厚さが薄くされている。
【００３７】
以上に説明の構成により、本実施形態によれば、以下の作用効果を奏する。
上記の冷凍システム１において、スクロール圧縮機２により圧縮された高温高圧の冷媒ガスは、凝縮器３で凝縮され、第１膨張弁で中間圧に減圧された後、気液分離器５に導かれて気液分離される。気相分の冷媒分離により冷却された液冷媒は、第２膨張弁で減圧された後、蒸発器７で蒸発され、再びスクロール圧縮機２に吸い込まれて圧縮される。以下同様の動作が繰り返される。
【００３８】
また、気液分離器５で分離された中間圧の冷媒ガスは、ガスインジェクション回路１０を介してスクロール圧縮機２の圧縮室３０内にインジェクションされる。この中間圧冷媒ガスは、インジェクションされる際、加熱手段１２によって加熱され、過熱度が大きく圧力が高くされた状態でインジェクションされるようになる。一方、スクロール圧縮機２側において、圧縮室３０内に中間圧冷媒ガスをインジェクションするインジェクションポート３５は、固定スクロール２６の段部２６Ｃよりも渦巻き方向外周端側において圧縮室３０内と連通する位置に設けられており、中間圧冷媒ガスは、圧力が相対的に低い段部２６Ｃよりも渦巻き方向外周端側に形成される圧縮室３０内にインジェクションされるようになる。
【００３９】
その結果、渦巻き方向に段部２６Ｃ，２７Ｃを備え、渦巻き状ラップ２６Ｂ，２７Ｂの周方向およびラップ高さ方向の双方にガスを圧縮する三次元圧縮が可能で、圧縮比が高く圧縮時の圧力の立ち上がりが急激な所謂段付きスクロール圧縮機２に対しても十分な量の中間圧冷媒ガスをインジェクションすることができる。
【００４０】
これによって、暖房または加熱時には、凝縮器３を流れる冷媒に、ガスインジェクションされた中間圧冷媒が加わるため、冷媒循環量が増大され、その分凝縮器３からの放熱を利用して行われる暖房または加熱能力を向上することができる。また、冷房または冷却時には、蒸発器７に導入される冷媒のエンタルピー差が増加するため、蒸発器７で蒸発される冷媒の熱量が多くなり、その分冷房または冷却能力を向上することができる。
【００４１】
従って、本実施形態によると、冷凍システム１の圧縮機に圧縮比が高く圧縮時の圧力の立ち上がりが急激な段付きスクロール圧縮機２が用いられている場合にも、ガスインジェクション時に十分な量の中間圧冷媒ガスをインジェクションすることが可能となり、冷却および加熱能力の向上ならびにＣＯＰ（成績係数）の向上を図ることができる。特に、極低温時等の高圧縮比条件時での暖房能力およびＣＯＰ（成績係数）の向上を図ることができる。更に、インジェクションされる中間圧冷媒ガスを加熱手段１２により加熱して確実に過熱ガスとすることができるため、液冷媒がインジェクションされることによるスラッギング音の発生や液圧縮を防止することができる。
【００４２】
また、加熱手段１２が、ＰＴＣヒータ等の電気ヒータにより構成されているため、インジェクションされる中間圧冷媒ガスを加熱する加熱手段１２として最も汎用的でかつ適用が簡易な電気ヒータを用いることができる。従って、用途、形式を問わず、あらゆる冷凍システム１に対して広範に適用することができる。
【００４３】
さらに、上記の段付きスクロール圧縮機２において、圧縮室３０に冷媒回路９から抽出された中間圧の冷媒ガスをインジェクションするインジェクションポート３５が、固定スクロール２６の段部２６Ｃよりも渦巻き方向外周端側において圧縮室３０内と連通する位置に設けられており、このインジェクションポート３５が設けられている段部２６Ｃよりも渦巻き方向外周端側において渦巻き状ラップ２６Ｂの外側曲線２６Ｅおよび腹側曲線２６Ｆが数十ミクロン単位で削られ、渦巻き状ラップ２６Ｂ，２７Ｂ同士が互いに非接触とされているため、圧力が相対的に低い段部２６Ｃよりも渦巻き方向外周端側に形成される圧縮室３０内に、中間圧冷媒ガスがインジェクションされることになる。
【００４４】
従って、スクロール圧縮機２の圧縮能力の向上ならびにＣＯＰ（成績係数）の向上を図ることができると同時に、渦巻き状ラップ２６Ｂ，２７Ｂにかかる渦巻き状ラップ同士の接触荷重を、ラップ高さが低く端板厚さが厚くなっている段部２６Ｃ，２７Ｃよりも内周端側のみに負荷することができるため、渦巻き方向外周端側においてインジェクションポート３５が設けられていることに起因する固定スクロール２６の端板２６Ａまたは渦巻き状ラップ２６Ｂの切欠きによる強度低下を防止することができる。
【００４５】
［他の実施形態］
次に、本発明の他の実施形態について説明する。
上記した第１実施形態に一部に代えて、以下の形態を採用することができる。
（１）第１実施形態では、スクロール圧縮機２として、電動モータ２２が内蔵されている密閉型電動スクロール圧縮機２を用いた実施形態について説明したが、スクロール圧縮機２としては、駆動源が内蔵されておらず、エンジン等の外部駆動源によりクラッチ等を介して駆動される所謂開放型スクロール圧縮機を用いることができ、これによっても、第１実施形態と同様の作用効果を得ることができる。
【００４６】
（２）第１実施形態では、気液分離器５を用いた気液分離方式のガスインジェクション回路１０付き冷凍システム１が示されているが、気液分離器５に代えて、主冷媒回路から一部液冷媒を分岐し、この分岐冷媒を中間圧まで減圧した後、主冷媒回路９を流れる冷媒と熱交換させる中間熱交換器を設け、この中間熱交換器で蒸発された中間圧冷媒ガスをインジェクションするように構成した中間熱交換方式のガスインジェクション回路付き冷凍システム１としてもよい。これによっても、第１実施形態と同様の作用効果を得ることができる。
【００４７】
（３）第１実施形態では、加熱手段１２として電気ヒータを用いた例について説明したが、エンジンが搭載されているガスヒートポンプ装置、輸送用冷凍装置、車両用空調装置等に適用される冷凍システム１においては、加熱手段１２としてエンジンの排気ガスや冷却水等の排熱が流通可能に構成されている熱交換器を設け、この熱交換器に排気ガスや冷却水等の排熱を導入することにより、その熱でインジェクションガスを加熱する構成としてもよい。これによると、第１実施形態と同様の作用効果に加えて、加熱手段１２の熱源として排熱を有効利用することができるため、更に性能向上を図ることが可能となる。
【００４８】
（４）第１実施形態では、インジェクションポート３５が設けられている段部２６Ｃよりも渦巻き方向外周端側において渦巻き状ラップ２６Ｂ，２７Ｂ同士が互いに非接触となるようにしているが、インジェクションポート３５の周辺部のみで、渦巻き状ラップ２６Ｂ，２７Ｂ同士が互いに非接触となるように構成してもよい。これによっても、渦巻き状ラップ２６Ｂ，２７Ｂにかかる渦巻き状ラップ同士の接触荷重をインジェクションポート３５が設けられている周辺部において小さくすることができるため、インジェクションポート３５が設けられていることに起因する固定スクロール２６の端板２６Ａまたは渦巻き状ラップ２６Ｂの切欠きによる強度低下を抑制することができる。
【００４９】
なお、本発明は、上記実施形態にかかる発明に限定されるものではなく、その要旨を逸脱しない範囲において、適宜変形が可能であることは云うまでもない。
【符号の説明】
【００５０】
１  冷凍システム
２  スクロール圧縮機
５  気液分離器
９  冷媒回路
１０  ガスインジェクション回路
１２  加熱手段
２６  固定スクロール
２６Ａ  端板
２６Ｂ  渦巻き状ラップ
２６Ｃ，２６Ｄ  段部
２６Ｅ  渦巻き状ラップの外側曲線
２６Ｆ  渦巻き状ラップの腹側曲線
２７  旋回スクロール
２７Ａ  端板
２７Ｂ  渦巻き状ラップ
２７Ｃ，２６Ｄ  段部
３０  圧縮室
３５  インジェクションポート
【図１】
2010185350.tif 000003
【図２】
2010185350.tif 000004
【図３】
2010185350.tif 000005
【図４】
2010185350.tif 000006